(57)【特許請求の範囲】
【請求項１】
第１画像を用紙の画像領域に形成し、裁断の指標を含む第２画像を前記用紙の前記画像領域外の非画像領域に形成する画像形成装置であって、
前記第２画像の倍率を設定する倍率設定部と、
前記第１画像を変倍せずに前記用紙の前記画像領域に形成し、前記第２画像及び前記非画像領域を前記倍率設定部で設定された倍率で変倍して前記用紙に形成する画像形成部と、を備えたことを特徴とする画像形成装置。
【請求項２】
請求項１に記載の画像形成装置であって、
前記画像形成部は、前記第１画像を変倍せずに前記用紙の第１面の前記画像領域に形成し、前記第２画像及び前記非画像領域を前記倍率設定部で設定された倍率で変倍して前記第１面に形成し、前記第１画像及び前記第２画像を変倍せずに前記用紙の第２面の前記画像領域及び前記非画像領域に形成することを特徴とする画像形成装置。
【請求項３】
請求項１又は２に記載の画像形成装置であって、
前記用紙における前記第１画像又は前記第２画像の位置を設定する位置設定部を備え、
前記画像形成部は、前記第１画像又は前記第２画像を前記位置設定部により設定された位置に形成することを特徴とする画像形成装置。
【請求項４】
請求項１から３のいずれか１つに記載の画像形成装置であって、
前記第１画像及び前記第２画像を変倍する第１モードと前記第２画像のみを変倍する第２モードとのいずれかを選択する操作部を備え、
前記画像形成部は、前記操作部により前記第１モードが選択された場合に、前記第１画像及び前記第２画像を前記倍率設定部で設定された倍率で共に変倍して前記用紙に形成し、前記操作部により前記第２モードが選択された場合に、前記第１画像を変倍せずに前記画像領域に形成し、前記第２画像及び前記非画像領域を前記倍率設定部で設定された倍率で変倍して前記用紙に形成することを特徴とする画像形成装置。
【請求項５】
請求項４に記載の画像形成装置であって、
前記操作部は、前記第１画像の倍率又は前記第２画像の倍率を前記倍率設定部に指示する倍率入力部と、前記第１画像の位置又は前記第２画像の位置を指示する位置入力部とを備えたことを特徴とする画像形成装置。
【請求項６】
請求項１から５のいずれか１つに記載の画像形成装置であって、
前記倍率設定部は、前記第２画像を示す画像データの演算処理により該第２画像の倍率を変更することを特徴とする画像形成装置。
【請求項７】
プリンタドライバを有する端末装置と、前記端末装置にネットワークを通じて接続された画像形成装置とを備えた画像形成システムであって、
前記プリンタドライバは、第１画像を用紙の画像領域に形成し、裁断の指標を含む第２画像を前記用紙の前記画像領域外の非画像領域に形成し、前記第２画像を変倍することを示す印刷データを生成して、前記印刷データを前記ネットワークを通じて前記画像形成装置に送信し、
前記画像形成装置は、前記印刷データを受信して、前記印刷データに基づき前記第１画像を変倍せずに前記用紙の前記画像領域に形成し、前記第２画像及び前記非画像領域を変倍して前記用紙に形成することを特徴とする画像形成システム。
【請求項８】
第１画像を用紙の画像領域に形成し、裁断の指標を含む第２画像を前記用紙の前記画像領域外の非画像領域に形成する画像形成方法であって、
前記第２画像の倍率を設定する倍率設定ステップと、
前記第１画像を変倍せずに前記画像領域に形成し、前記第２画像及び前記非画像領域を前記倍率設定ステップで設定された倍率で変倍して前記用紙に形成する画像形成ステップとを含むことを特徴とする画像形成方法。
【発明の詳細な説明】
【技術分野】
【０００１】
本発明は、画像を用紙に印刷して形成する画像形成装置、画像形成システム、及び画像形成方法に関する。
【背景技術】
【０００２】
この種の画像形成装置としては、用紙の表面に画像を形成し、引き続いて同一用紙の裏面に画像を形成するものがあるが、用紙の表面への画像形成処理のときに該用紙が伸縮して、用紙の表面の画像形成位置と用紙の裏面の画像形成位置とがずれることがある。
【０００３】
このため、特許文献１では、用紙の表面に画像を形成するときに、その表面に基準マークをも形成して、この基準マークの位置を定着処理前と定着処理後とで２度検出し、引き続いて用紙の裏面に画像を印刷するときに、２度検出した基準マークのずれに基づき用紙の裏面における画像の位置及び倍率を求めて設定し、用紙の裏面におけるその位置にその倍率で変倍（拡大又は縮小）した画像を形成して、用紙の表面の画像形成位置と用紙の裏面の画像形成位置とを一致させている。
【先行技術文献】
【特許文献】
【０００４】
【特許文献１】特開２００７−２０６６６７号公報
【発明の概要】
【発明が解決しようとする課題】
【０００５】
しかしながら、変倍方法によっては画像の品質が劣化することがある。このため、特許文献１のように用紙の裏面に画像を印刷するときに該画像を変倍すると、用紙の裏面側の画像の品質が劣化することがある。
【０００６】
一方、通常、用紙の表面と裏面との間で画像形成位置がずれても、このずれが画像サイズと比較して僅かであるならば問題になることはない。ところが、用紙の表面と裏面とに該用紙の裁断用マークを形成して、この裁断用マークに従って用紙を裁断する場合は、用紙の表面と裏面との間で裁断用マークの位置がずれると、一方の面の裁断用マークに従って用紙を裁断したときに、他方の面の裁断用マークが用紙上に残ってしまうことがあった。
【０００７】
そこで、本発明は、上記従来の問題点に鑑みなされたものであり、用紙に形成される画像の品質を劣化させることなく、裁断用マーク等の指標の位置については用紙の表面と裏面との間で一致させることが可能な画像形成装置、画像形成システム、及び画像形成方法を提供することを目的とする。
【課題を解決するための手段】
【０００８】
上記課題を解決するために、本発明の画像形成装置は、第１画像を用紙の画像領域に形成し、裁断の指標を含む第２画像を前記用紙の前記画像領域外の非画像領域に形成する画像形成装置であって、前記第２画像の倍率を設定する倍率設定部と、前記第１画像を変倍せずに前記用紙の前記画像領域に形成し、前記第２画像及び前記非画像領域を前記倍率設定部で設定された倍率で変倍して前記用紙に形成する画像形成部と、を備えている。
【０００９】
このような本発明の画像形成装置では、第１画像を変倍せずに用紙の画像領域に形成し、第２画像及び非画像領域を倍率設定部で設定された倍率で変倍（拡大又は縮小）して用
紙に形成している。従って、第１画像は変倍されず、その画像品質が劣化することがない。また、第２画像は変倍されるので、その画像品質が劣化する可能性があるものの、用紙の伸縮に応じた変倍により該用紙における第２画像の位置ずれ等を補償することができる。例えば、裁断用マーク等の指標は、非画像領域に形成されるものであって、その画像品質の劣化が問題にされることがなく、その位置ずれが問題となる。このため、裁断用マーク等の指標を第２画像として扱えば、裁断用マーク等の指標等の位置ずれの問題を解消することができる。尚、変倍とは、任意の倍率で画像を拡大又は縮小することである。
【００１０】
また、本発明の画像形成装置においては、前記画像形成部は、前記第１画像を変倍せずに前記用紙の第１面の前記画像領域に形成し、前記第２画像及び前記非画像領域を前記倍率設定部で設定された倍率で変倍して前記第１面に形成し、前記第１画像及び前記第２画像を変倍せずに前記用紙の第２面の前記画像領域及び前記非画像領域に形成している。
【００１１】
この場合は、用紙の第１面への画像形成処理のときに該用紙が伸縮しても、用紙の伸縮に応じた第１面の第２画像の変倍により第１面の第２画像と第２面の第２画像との位置ずれを補償することができる。
【００１２】
更に、本発明の画像形成装置においては、前記用紙における前記第１画像又は前記第２画像の位置を設定する位置設定部を備え、前記画像形成部は、前記第１画像又は前記第２画像を前記位置設定部により設定された位置に形成している。
【００１３】
これにより、用紙における第１画像又は第２画像の位置をより正確に設定することができる。
【００１４】
また、本発明の画像形成装置においては、前記第１画像及び前記第２画像を変倍する第１モードと前記第２画像のみを変倍する第２モードとのいずれかを選択する操作部を備え、前記画像形成部は、前記操作部により前記第１モードが選択された場合に、前記第１画像及び前記第２画像を前記倍率設定部で設定された倍率で共に変倍して前記用紙に形成し、前記操作部により前記第２モードが選択された場合に、前記第１画像を変倍せずに前記画像領域に形成し、前記第２画像及び前記非画像領域を前記倍率設定部で設定された倍率で変倍して前記用紙に形成している。
【００１５】
第１モードでは、第１画像及び第２画像を共に変倍して用紙に形成し、第２モードでは、第１画像を変倍せずに画像領域に形成し、第２画像を変倍して非画像領域に形成する。このような第１モード及び第２モードを選択的に使い分けることにより、用紙における第１画像の位置及び第２画像の位置を効率的に調節することが可能になる。
【００１６】
更に、本発明の画像形成装置においては、前記操作部は、前記第１画像の倍率又は前記第２画像の倍率を前記倍率設定部に指示する倍率入力部と、前記第１画像の位置又は前記第２画像の位置を指示する位置入力部とを備えている。
【００１７】
このような倍率入力部及び位置入力部を設けることにより、倍率及び位置の設定が容易になる。
【００１８】
また、本発明の画像形成装置においては、前記倍率設定部は、前記第２画像を示す画像データの演算処理により該第２画像の倍率を変更している。
【００１９】
このような画像データの演算処理による画像の変倍は、低コストで容易に実現することが可能であって、位置ずれが生じることがなくても、画像品質の劣化を伴い易い。ところが、裁断用マーク等の指標は、その位置ずれが問題となるものの、その画像品質の劣化が
問題にされることがない。このため、裁断用マーク等の指標を第２画像として扱う場合は、そのような画像データの演算処理が好適である。
【００２０】
次に、本発明の画像形成システムは、プリンタドライバを有する端末装置と、前記端末装置にネットワークを通じて接続された画像形成装置とを備えた画像形成システムであって、前記プリンタドライバは、第１画像を用紙の画像領域に形成し、裁断の指標を含む第２画像を前記用紙の前記画像領域外の非画像領域に形成し、前記第２画像を変倍することを示す印刷データを生成して、前記印刷データを前記ネットワークを通じて前記画像形成装置に送信し、前記画像形成装置は、前記印刷データを受信して、前記印刷データに基づき前記第１画像を変倍せずに前記用紙の前記画像領域に形成し、前記第２画像及び前記非画像領域を変倍して前記用紙に形成している。
【００２１】
また、本発明の画像形成方法は、第１画像を用紙の画像領域に形成し、裁断の指標を含む第２画像を前記用紙の前記画像領域外の非画像領域に形成する画像形成方法であって、前記第２画像の倍率を設定する倍率設定ステップと、前記第１画像を変倍せずに前記画像領域に形成し、前記第２画像及び前記非画像領域を前記倍率設定ステップで設定された倍率で変倍して前記用紙に形成する画像形成ステップとを含んでいる。
【００２２】
このような本発明の画像形成システム及び画像形成方法においても、上記本発明の画像形成装置と同様の作用効果を奏する。
【発明の効果】
【００２３】
本発明では、第１画像を変倍せずに用紙の画像領域に形成し、第２画像及び非画像領域を変倍して用紙に形成している。従って、第１画像は変倍されず、その画像品質が劣化することがない。また、第２画像は変倍されるので、その画像品質が劣化する可能性があるものの、用紙の伸縮に応じた変倍により該用紙における第２画像の位置ずれ等を補償することができる。例えば、裁断用マーク等の指標は、非画像領域に形成されるものであって、その画像品質の劣化が問題にされることがなく、その位置ずれが問題となる。このため、裁断用マーク等の指標を第２画像として扱えば、裁断用マーク等の指標等の位置ずれの問題を解消することができる。
【図面の簡単な説明】
【００２４】
【図１】本発明の画像形成装置の実施形態を示す断面図である。
【図２】図１の画像形成装置の制御系の構成を示すブロック図である。
【図３】図１の画像形成装置における操作パネルを示す平面図である。
【図４】（ａ）、（ｂ）は、第１実施形態における記録用紙の表面及び裏面に形成される表面画像及び裏面画像を例示する図である。
【図５】（ａ）は収縮する前の記録用紙の表面に形成された表面画像を示す図であり、（ｂ）は収縮した記録用紙の裏面に形成された裏面画像を示す図である。
【図６】（ａ）は収縮する前の記録用紙の表面に拡大して形成された表面画像を示す図であり、（ｂ）は収縮した記録用紙の裏面に形成された裏面画像を示す図である。
【図７】（ａ）は図１の画像形成装置における表示部の画面に表示された全選択モードの第１モード欄及び部分適用モードの第２モード欄を示す図であり、（ｂ）は表示部の画面に表示された全選択モードの第１モード欄及びキャンセルボタンを示す図である。
【図８】（ａ）は図１の画像形成装置における表示部の画面に表示された倍率入力部を示す図であり、（ｂ）は倍率入力部の機能を整理して示す図表である。
【図９】（ａ）は図１の画像形成装置における表示部の画面に表示された位置入力部を示す図であり、（ｂ）は位置入力部の機能を整理して示す図表である。
【図１０】記録用紙の表面に形成される画像の倍率及び移動位置、記録用紙の裏面に形成される画像の倍率及び移動位置を設定するための手順を示すフローチャートである。
【図１１】第２実施形態における記録用紙の表面及び裏面に形成される調整パターンを例示する図である。
【図１２】第３実施形態の画像形成装置の制御系の構成を示すブロック図である。
【発明を実施するための形態】
【００２５】
以下、本発明の実施形態を図面に基づいて説明する。
【００２６】
図１は、本発明の画像形成装置の実施形態を示す断面図である。この画像形成装置１は、原稿を読取って記録用紙に印刷する複写機能を有しており、画像読取り装置２、原稿搬送装置３、印刷部４、及び給紙カセット５等を備えている。
【００２７】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、現像装置１２、感光体ドラム１３、ドラムクリーニング装置１４、及び帯電装置１５を各色に応じた４種類のトナー像を形成するためにそれぞれ４個ずつ設け、それぞれをブラック、シアン、マゼンタ、及びイエローに対応付けて、４つの画像ステーションＰａ、Ｐｂ、Ｐｃ、Ｐｄを構成している。
【００２８】
各画像ステーションＰａ、Ｐｂ、Ｐｃ、Ｐｄのいずれにおいても、ドラムクリーニング装置１４により感光体ドラム１３表面の残留トナーを除去及び回収した後、帯電装置１５により感光体ドラム１３の表面を所定の電位に均一に帯電させ、光走査装置１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００２９】
引き続いて、中間転写ベルト２１を矢印方向Ｃに周回移動させつつ、ベルトクリーニング装置２５により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００３０】
中間転写ベルト２１と２次転写装置２６の２次転写ローラ２６ａとの間にはニップ域が形成されており、用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ３１と加圧ローラ３２との間に記録用紙を挟み込んで加熱及び加圧し、記録用紙上のカラーのトナー像を定着させる。
【００３１】
また、記録用紙は、ピックアップローラ３３により給紙カセット５から引き出されて、用紙搬送経路Ｒ１を通じて搬送され、２次転写装置２６や定着装置１７を経由し、排紙ローラ３６を介して排紙トレイ３９へと搬出される。この用紙搬送経路Ｒ１には、記録用紙を一旦停止させて、記録用紙の先端を揃えた後、中間転写ベルト２１と２次転写ローラ２６ａ間のニップ域でのカラーのトナー像の転写タイミングに合わせて記録用紙の搬送を開始するレジストローラ３４、記録用紙の搬送を促す各搬送ローラ３５、排紙ローラ３６等が配置されている。
【００３２】
更に、記録用紙の表面だけではなく、裏面に画像形成を行う場合は、記録用紙を排紙ローラ３６から反転経路Ｒｒへと逆方向に搬送して、記録用紙の表裏を反転させ、記録用紙をレジストローラ３４へと再度導き、記録用紙の表面と同様に、記録用紙の裏面に画像を記録して定着し、記録用紙を排紙トレイ３９へと搬出する。
【００３３】
次に、画像形成装置１の制御系の構成を説明する。図２は、画像形成装置１の制御系の構成を示すブロック図である。図２において、制御部４１は、原稿読取り装置２、原稿搬送装置３、印刷部４、給紙カセット５、及び操作パネル７等との間で制御データ等を送受して、これらを制御しており、また操作パネル７の操作に応答してプリント機能、スキャナ機能、及び複写機能等を選択的に動作させる。
【００３４】
例えば、制御部４１は、操作パネル７の操作によりスキャナ機能が指示されると、原稿読取り装置２により原稿の画像を読取らせて、原稿読取り装置２から原稿の画像を示す画像データを出力させ、画像処理部４４により画像データを処理させて、画像データを画像メモリ４２に記憶する。また、制御部４１は、外部端末装置（図示せず）からの画像データが入出力部４３で受信入力されると、画像処理部４４により画像データを処理させて、画像データを画像メモリ４２に記憶する。そして、制御部４１は、操作パネル７の操作によりプリント機能が選択指示されると、画像データを画像メモリ４２から読出して、画像データによって示される画像を印刷部４で記録用紙に印刷させる。
【００３５】
図３は、操作パネル７を示す平面図である。図３に示すように操作パネル７は、表示部５１と、入力操作部５２とを備えている。入力操作部５２は、スタートキー５４、及びテンキー５５等や、表示部５１の画面に重ねられたタッチパネル（図示せず）等を有している。例えば、タッチパネルは、表示部５１の初期設定画面上の各機能欄５６ａ〜５６ｄのいずれかがタッチ操作されると、このタッチ操作された機能欄を検出する。入力操作部５２は、タッチパネルにより検出された機能欄を制御部４１に通知する。
【００３６】
ところで、このような画像形成装置１においては、先に述べたように記録用紙の表面に画像を形成した後に、記録用紙を排紙ローラ３６から反転経路Ｒｒへと逆方向に搬送して、記録用紙の表裏を反転させ、記録用紙をレジストローラ３４へと再度導くことにより、記録用紙の裏面にも画像を形成することができる。
【００３７】
しかしながら、記録用紙の表面への画像形成処理の過程では、記録用紙が定着装置１７で加熱されることから、記録用紙が収縮する。従って、仮に画像の倍率等を調節せずに、画像を記録用紙の裏面に形成すると、記録用紙の表面の画像形成位置と記録用紙の裏面の画像形成位置とがずれる。このため、記録用紙の裏面にも画像を形成するときには、記録用紙の表面及び裏面の少なくとも一方の画像の倍率を調節して、その倍率で一方の画像を変倍（拡大又は縮小）し、記録用紙の表面と裏面との間で画像形成位置を一致させるのが好ましい。尚、変倍とは、任意の倍率で画像を拡大又は縮小することである。
【００３８】
ところが、画像データの演算処理による画像の変倍は、低コストで容易に実現することが可能であって、位置ずれが生じることがなくても、画像品質が劣化し易い。例えば、拡大のための演算処理としては画素を補足する線形補間があり、また縮小のための演算処理としては画素を間引くサンプリングがある。その他の各種の演算処理も提案されているが、いずれの演算処理でも画像品質の劣化が生じる。ただし、裁断用マーク等の指標は、その位置ずれが問題となるだけであって、その画像品質の劣化が問題になることがない。例えば、記録用紙の表面と裏面とに該記録用紙の裁断用マークを形成して、この裁断用マークに従って記録用紙を裁断する場合は、裁断用マークの画質が劣化していても、記録用紙の裁断位置を知ることができる。しかしながら、記録用紙の表面と裏面との間で裁断用マークの位置がずれると、一方の面の裁断用マークに従って記録用紙を裁断したときに、他方の面の裁断用マークが記録用紙上に残る。
【００３９】
また、記録用紙に印刷される主要な画像（テキスト、写真、図面等）については、記録用紙の表面と裏面との間で画像形成位置がずれていても、このずれが画像サイズと比較して僅かであるために問題になることはない。
［第１実施形態］
そこで、第１実施形態では、画像品質の劣化が問題にされることがない裁断用マーク等の指標を、画像品質の劣化が問題にされるテキスト、写真、及び図面等の主要な画像の外側に形成することを前提とし、すなわち主要な画像を含む第１画像を画像領域に形成し、裁断用マーク等の指標を含む第２画像を画像領域外の非画像領域に形成するものとすると、記録用紙の少なくとも表面については、画像領域（第１画像）を変倍せずに記録用紙に形成し、非画像領域（第２画像）を変倍して記録用紙に形成している。従って、第１画像は変倍されず、その画像品質が劣化することがない。また、第２画像は変倍されるので、その画像品質が劣化するものの、記録用紙の収縮に応じた変倍により該記録用紙の表面の第２画像の位置ずれ等を補償して、記録用紙の表面と裏面との間で第２画像（裁断用マーク等の指標を含む画像）の位置を一致させることができる。
【００４０】
次に、そのような第１画像及び第２画像の具体例を説明する。図４（ａ）、（ｂ）は、記録用紙Ｐの表面及び裏面に形成される表面画像Ｇａ及び裏面画像Ｇｂを例示している。尚、記録用紙Ｐの横方向をＸ方向とし、記録用紙Ｐの縦方向をＹ方向とする。
【００４１】
図４（ａ）、（ｂ）に示すように表面画像Ｇａは、主要な第１画像ｇａ１と、第２画像ｇａ２とからなる。第１画像ｇａ１は、テキスト、写真、図面等の他に、それらの背景や余白をも含む矩形の画像領域Ｒａ１に対応する。また、第２画像ｇａ２は、裁断用マークＭａの他に、その背景や余白をも含む額縁状の非画像領域Ｒａ２に対応しており、この非画像領域Ｒａ２が画像領域Ｒａ１外に配置されている。ここで、裁断用マークＭａは、矩形の画像領域Ｒａ１に対する所定の位置であってかつ画像領域Ｒａ１の外側に配置される。例えば、裁断用マークＭａは、画像領域Ｒａ１の各辺から該画像領域Ｒａ１の外側に一定距離だけ離れた位置に設定されたり、あるいは画像領域Ｒａ１の各角から該画像領域Ｒａ１の外側にかつ縦方向又は横方向に一定距離だけ離れた位置に設定されたりする。そして、第２画像ｇａ２は、そのような裁断用マークＭａ、その背景や余白をも含む額縁状の非画像領域Ｒａ２に対応し、この第２画像ｇａ２の非画像領域Ｒａ２が第１画像ｇａ１の画像領域Ｒａ１外に配置される。
【００４２】
同様に、裏面画像Ｇｂは、第１画像ｇｂ１と、第２画像ｇｂ２とからなる。第１画像ｇｂ１は、テキスト、写真、図面等の他に、それらの背景や余白をも含む矩形の画像領域Ｒｂ１に対応する。また、画像領域Ｒｂ１の外側の所定位置に裁断用マークＭｂを設定し、この裁断用マークＭｂだけではなく、その背景や余白をも含む額縁状の非画像領域Ｒｂ２（第２画像ｇｂ２に対応する）を設定し、非画像領域Ｒｂ２を画像領域Ｒｂ１外に配置する。
【００４３】
ここでは、表面画像Ｇａの第１画像ｇａ１（画像領域Ｒａ１）と裏面画像Ｇｂの第１画像ｇｂ１（画像領域Ｒｂ１）とは、記録用紙Ｐの表面及び裏面における同一位置に配置されかつ同一サイズであり、同様に表面画像Ｇａの第２画像ｇａ２（非画像領域Ｒａ２）と裏面画像Ｇｂの第２画像ｇｂ２（非画像領域Ｒｂ２）とは、記録用紙Ｐの表面及び裏面における同一位置に配置されかつ同一サイズであるものとする。従って、仮に記録用紙Ｐの表面の印刷処理のときに該記録用紙Ｐが全く伸縮しないとすると、第１画像ｇａ１（画像領域Ｒａ１）と裏面画像Ｇｂの第１画像ｇｂ１（画像領域Ｒｂ１）とが記録用紙Ｐの表裏で互いに重なり合い、また第２画像ｇａ２（非画像領域Ｒａ２）と第２画像ｇｂ２（非画像領域Ｒｂ２）とが記録用紙Ｐの表裏で互いに重なり合う。
【００４４】
ところが、記録用紙Ｐの表面に表面画像Ｇａを形成して、このときに定着装置１７による加熱で記録用紙Ｐが収縮し、引き続いて収縮した記録用紙Ｐの裏面に裏面画像Ｇｂを形成した場合は、表面画像Ｇａ及び裏面画像Ｇｂが図５（ａ）、（ｂ）に示すようになる。図５（ａ）、（ｂ）の比較から明らかなように、記録用紙Ｐの収縮に伴って表面画像Ｇａ
も収縮することから、表面画像Ｇａの第１画像ｇａ１と裏面画像Ｇｂの第１画像ｇｂ１とが互いにずれ、表面画像Ｇａの第２画像ｇａ２と裏面画像Ｇｂの第２画像ｇｂ２とが互いにずれ、表面画像Ｇａが裏面画像Ｇｂよりも小さくなる。この結果、表面画像Ｇａの第２画像ｇａ２の裁断用マークＭａと裏面画像Ｇｂの第２画像ｇｂ２の裁断用マークＭｂとがずれる。
【００４５】
そこで、記録用紙Ｐの表面に表面画像Ｇａを形成するときには、表面画像Ｇａの第２画像ｇａ２（非画像領域Ｒａ２）だけを適宜の倍率で拡大しておき、引き続いて収縮した記録用紙Ｐの裏面に裏面画像Ｇｂを変倍せずに形成する。この場合は、表面画像Ｇａ及び裏面画像Ｇｂが図６（ａ）、（ｂ）に示すようになる。図６（ａ）、（ｂ）の比較から明らかなように、表面画像Ｇａの第２画像ｇａ２（非画像領域Ｒａ２）だけを適宜の倍率で拡大していることから、記録用紙Ｐの収縮に伴って表面画像Ｇａが収縮すると、表面画像Ｇａの第２画像ｇａ２（非画像領域Ｒａ２）と裏面画像Ｇｂの第２画像ｇｂ２（非画像領域Ｒｂ２）とが同一サイズとなり、第２画像ｇａ２の裁断用マークＭａと第２画像ｇｂ２の裁断用マークＭｂとが記録用紙Ｐの表裏で概ね互いに重なり合う。また、表面画像Ｇａの画像領域Ｒａ１に対しては変倍処理を行わないので、第１画像（テキスト、写真、図面等）ｇａ１の画像品質が低下することはない。
【００４６】
尚、記録用紙Ｐの表面及び裏面のいずれにおいても、左下の基準位置Ｑを基準にして表面画像Ｇａと裏面画像Ｇｂが形成されるものとする。また、表面画像Ｇａの第２画像ｇａ２（非画像領域Ｒａ２）だけを拡大する代わりに、裏面画像Ｇｂの第２画像ｇｂ２（非画像領域Ｒｂ２）だけを適宜の倍率で縮小しても、第２画像ｇａ２の裁断用マークＭａと第２画像ｇｂ２の裁断用マークＭｂとが概ね互いに重なり合うが、裏面画像Ｇｂの第２画像ｇｂ２だけを縮小すると、第２画像ｇｂ２が第１画像ｇｂ１に干渉することがあるので、表面画像Ｇａの第２画像ｇａ２だけを拡大するようにしている。
【００４７】
次に、そのような表面画像Ｇａの第１画像ｇａ１を変倍せずに記録用紙Ｐの画像領域Ｒａ１に形成し、表面画像Ｇａの第２画像ｇａ２を変倍して非画像領域Ｒａ２に形成するための構成及び手順について説明する。
【００４８】
まず、画像メモリ４２には、図４（ａ）の表面画像Ｇａを示す表面画像データＤａ及び図４（ｂ）の裏面画像Ｇｂを示す裏面画像データＤｂが記憶されているものとする。表面画像Ｇａ及び裏面画像Ｇｂのいずれも定型Ａ３を越えるサイズであり、表面画像Ｇａの第１画像ｇａ１及び裏面画像Ｇｂの第１画像ｇｂ１のいずれも定型Ａ３のサイズである。勿論、記録用紙Ｐ、表面画像Ｇａ及び裏面画像Ｇｂが他のサイズであっても構わない。
【００４９】
さて、図３に示すような操作パネル７の表示部５１の初期設定画面において表面画像Ｇａと裏面画像Ｇｂとの位置合わせの機能に対応する機能欄５６ｄをタッチ操作すると、表示部５１の画面上に画像メモリ４２内の画像データの一覧（図示せず）が表示されるので、タッチ操作により、その一覧における図４（ａ）、（ｂ）に示すような表面画像Ｇａ及び裏面画像Ｇｂに対応する表面画像データＤａ及び裏面画像データＤｂを指示する。これに応答して制御部４１は、表面画像データＤａ及び裏面画像データＤｂを画像メモリ４２から検索して、図４（ａ）、（ｂ）に示すような表面画像Ｇａ及び裏面画像Ｇｂを表示部５１の画面に縮小表示すると共に、図７（ａ）に示すような全選択モードの第１モード欄５７及び部分適用モードの第２モード欄５８を表示部５１の画面に表示する。
【００５０】
ここで、全選択モードの第１モード欄５７をタッチ操作すると、制御部４１は、全選択モードを設定した上で表面画像Ｇａの全体及び裏面画像Ｇｂの全体に対する倍率及び位置を設定するものとみなし、図８（ａ）に示すような倍率入力部６１を表示部５１の画面に表示する。
【００５１】
また、部分適用モードの第２モード欄５８をタッチ操作すると、制御部４１は、部分適用モードを設定した上で表面画像Ｇａの第２画像ｇａ２（非画像領域Ｒａ２）のみに対する倍率及び位置及び裏面画像Ｇｂの第２画像ｇｂ２（非画像領域Ｒｂ２）のみに対する倍率及び位置を設定するものとみなし、図８（ａ）に示すような倍率入力部６１を表示部５１の画面に表示する。
【００５２】
従って、表示部５１の画面には、倍率入力部６１が表示されると共に、表面画像Ｇａ及び裏面画像Ｇｂが縮小表示される。
【００５３】
尚、ここでは、表面画像Ｇａが第１画像ｇａ１（画像領域Ｒａ１）と第２画像ｇａ２（非画像領域Ｒａ２）とからなり、裏面画像Ｇｂが第１画像ｇｂ１（画像領域Ｒｂ１）と第２画像ｇｂ２（非画像領域Ｒｂ２）とからなると定義しているため、第２画像ｇａ２（非画像領域Ｒａ２）及び第２画像ｇｂ２（非画像領域Ｒｂ２）を指定する必要はないが、表面画像Ｇａにおいて第１画像ｇａ１及び第２画像ｇａ２が定義されていないか、あるいは裏面画像Ｇｂにおいて第１画像ｇｂ１及び第２画像ｇｂ２が定義されていない場合は、表面画像Ｇａ又は裏面画像Ｇｂの基準位置Ｑに対する領域を指定して、表面画像Ｇａにおける第１画像ｇａ１及び第２画像ｇａ２を設定したり、裏面画像Ｇｂにおける第１画像ｇｂ１及び第２画像ｇｂ２を設定したりする。表面画像Ｇａ又は裏面画像Ｇｂの基準位置Ｑに対する領域の指定方法としては、基準位置ＱからのＸ方向の離間距離及びＹ方向の離間距離を指定して、基準位置Ｑからそれらの離間距離だけ離れた任意の指定位置（基準位置Ｑを原点とする任意の座標位置）を指示し、基準位置Ｑとその指定位置とを対角頂点とする任意の矩形領域を画像領域として設定し、またその画像領域の外側の所定位置に裁断用マークを設定して、この裁断用マーク及びその背景や余白を含む額縁状の非画像領域を画像領域外に設定することができる。あるいは、表示部５１の画面上で、表面画像Ｇａ又は裏面画像Ｇｂにおける任意の矩形領域の対角頂点をタッチ操作により指定し、この矩形領域を画像領域として設定し、またその画像領域の外側の所定位置に裁断用マークを設定して、この裁断用マーク及びその背景や余白を含む額縁状の非画像領域を画像領域外に設定しても構わない。
【００５４】
このように全選択モード及び部分適用モードのいずれかが選択されて、図８（ａ）に示すような倍率入力部６１が表示部５１の画面に表示され、表面画像Ｇａ及び裏面画像Ｇｂが表示部５１の画面に縮小表示される。
【００５５】
この倍率入力部６１には、記録用紙Ｐの表面におけるＸ方向（横方向）の倍率を表示する表面Ｘ倍率欄６２及びＹ方向（縦方向）の倍率を表示する表面Ｙ倍率欄６３、表面Ｘ倍率欄６２に対応するプラスキー６２ａ及びマイナスキー６２ｂ、表面Ｙ倍率欄６３に対応するプラスキー６３ａ及びマイナスキー６３ｂが表示されている。また、記録用紙Ｐの裏面におけるＸ方向（横方向）の倍率を表示する裏面Ｘ倍率欄６４及びＹ方向（縦方向）の倍率を表示する裏面Ｙ倍率欄６５、裏面Ｘ倍率欄６４に対応するプラスキー６４ａ及びマイナスキー６４ｂ、裏面Ｙ倍率欄６５に対応するプラスキー６５ａ及びマイナスキー６５ｂが表示されている。更に、ＯＫボタン６６、テスト印刷ボタン６７、及び初期設定ボタン６８が表示されている。
【００５６】
尚、図８（ｂ）には、表面Ｘ倍率欄６２、表面Ｙ倍率欄６３、裏面Ｘ倍率欄６４、裏面Ｙ倍率欄６５、テスト印刷ボタン６７、及び初期設定ボタン６８の機能が整理して示されている。
【００５７】
このような倍率入力部６１において、表面Ｘ倍率欄６２、表面Ｙ倍率欄６３、裏面Ｘ倍率欄６４、及び裏面Ｙ倍率欄６５には、初期設定値の倍率として「１００．００」％が表
示されている。この状態で、表面Ｘ倍率欄６２のプラスキー６２ａ及びマイナスキー６２ｂを選択的にタッチ操作すると、表面Ｘ倍率欄６２の倍率が増減し、また表面Ｙ倍率欄６３に対応するプラスキー６３ａ及びマイナスキー６３ｂを選択的にタッチ操作すると、表面Ｙ倍率欄６３の倍率が増減し、更に裏面Ｘ倍率欄６４のプラスキー６４ａ及びマイナスキー６４ｂを選択的にタッチ操作すると、裏面Ｘ倍率欄６４の倍率が増減し、また裏面Ｙ倍率欄６５のプラスキー６５ａ及びマイナスキー６５ｂを選択的にタッチ操作すると、裏面Ｙ倍率欄６５の倍率が増減する。
【００５８】
また、初期設定ボタン６８をタッチ操作すると、各倍率欄６２〜６５の倍率が初期設定値の「１００．００」％に戻される。
【００５９】
こうして各倍率欄６２〜６５の倍率を調節した後、ＯＫボタン６６をタッチ操作すると、これに応答して制御部４１は、各倍率欄６２〜６５の倍率を該制御部４１に内蔵のメモリ４１ａに記憶する。このとき、全選択モードを選択した状態であるならば、表面Ｘ倍率欄６２の倍率及び表面Ｙ倍率欄６３の倍率が表面画像Ｇａの全体に対する倍率としてメモリ４１ａに記憶され、裏面Ｘ倍率欄６４の倍率及び裏面Ｙ倍率欄６５の倍率が裏面画像Ｇｂの全体に対する倍率としてメモリ４１ａに記憶される。また、部分適用モードを選択した状態であるならば、表面Ｘ倍率欄６２の倍率及び表面Ｙ倍率欄６３の倍率が表面画像Ｇａの第２画像ｇａ２のみに対する倍率としてメモリ４１ａに記憶され、裏面Ｘ倍率欄６４の倍率及び裏面Ｙ倍率欄６５の倍率が裏面画像Ｇｂの第２画像ｇｂ２のみに対する倍率としてメモリ４１ａに記憶される。
【００６０】
また、ＯＫボタン６６をタッチ操作すると、制御部４１は、図９（ａ）に示すような位置入力部７１を表示部５１の画面に表示する。この位置入力部７１には、記録用紙Ｐの表面におけるＸ方向（横方向）の位置を表示する表面Ｘ位置欄７２及びＹ方向（縦方向）の位置を表示する表面Ｙ位置欄７３、表面Ｘ位置欄７２に対応するプラスキー７２ａ及びマイナスキー７２ｂ、表面Ｙ位置欄７３に対応するプラスキー７３ａ及びマイナスキー７３ｂが表示されている。また、記録用紙Ｐの裏面におけるＸ方向（横方向）の位置を表示する裏面Ｘ位置欄７４及びＹ方向（縦方向）の位置を表示する裏面Ｙの裏面Ｙ位置欄７５、裏面Ｘ位置欄７４に対応するプラスキー７４ａ及びマイナスキー７４ｂ、裏面Ｙ位置欄７５に対応するプラスキー７５ａ及びマイナスキー７５ｂが表示されている。更に、ＯＫボタン７６、テスト印刷ボタン７７、ｍｍボタン７８、及びｉｎｃｈボタン７９が表示されている。
【００６１】
尚、図９（ｂ）には、表面Ｘ位置欄７２、表面Ｙ位置欄７３、裏面Ｘ位置欄７４、裏面Ｙ位置欄７５、テスト印刷ボタン７７、ｍｍボタン７８、及びｉｎｃｈボタン７９の機能が整理して示されている。
【００６２】
このような位置入力部７１において、表面Ｘ位置欄７２、表面Ｙ位置欄７３、裏面Ｘ位置欄７４、及び裏面Ｙ位置欄７５には、初期設定値の移動距離として「０．０」ｍｍが表示されている。この状態で、表面Ｘ位置欄７２のプラスキー７２ａ及びマイナスキー７２ｂを選択的にタッチ操作すると、表面Ｘ位置欄７２の移動距離が増減し、また表面Ｙ位置欄７３に対応するプラスキー７３ａ及びマイナスキー７３ｂを選択的にタッチ操作すると、表面Ｙ位置欄７３の移動距離が増減し、更に裏面Ｘ位置欄７４のプラスキー７４ａ及びマイナスキー７４ｂを選択的にタッチ操作すると、裏面Ｘ位置欄７４の移動距離が増減し、また裏面Ｙ位置欄７５のプラスキー７５ａ及びマイナスキー７５ｂを選択的にタッチ操作すると、裏面Ｙ位置欄７５の移動距離が増減する。
【００６３】
また、ｉｎｃｈボタン７９をタッチ操作すると、各位置欄７２〜７５の移動距離がｍｍ単位からインチ単位に切換えられる。逆に、各位置欄７２〜７５の移動距離がインチ単位
で表示されているときに、ｍｍボタン７８をタッチ操作すると、各位置欄７２〜７５の移動距離がインチ単位からｍｍ単位に切換えられる。ミリ単位とインチ単位との切換えの演算では、各位置欄７２〜７５に表示されることがない小数点以下の桁で切り捨て又は切り上げを行うようにする。
【００６４】
こうして各位置欄７２〜７５の移動距離を調節した後、ＯＫボタン７６をタッチ操作すると、これに応答して制御部４１は、各位置欄７２〜７５の移動距離を該制御部４１に内蔵のメモリ４１ａに記憶する。このとき、全選択モードを選択した状態であるならば、表面Ｘ位置欄７２の移動距離及び表面Ｙ位置欄７３の移動距離が表面画像Ｇａの全体に対する移動距離としてメモリ４１ａに記憶され、裏面Ｘ位置欄７４の移動距離及び裏面Ｙ位置欄７５の移動距離が裏面画像Ｇｂの全体に対する移動距離としてメモリ４１ａに記憶される。また、部分適用モードを選択した状態であるならば、表面Ｘ位置欄７２の移動距離及び表面Ｙ位置欄７３の移動距離が表面画像Ｇａの第２画像ｇａ２のみに対する移動距離としてメモリ４１ａに記憶され、裏面Ｘ位置欄７４の移動距離及び裏面Ｙ位置欄７５の移動距離が裏面画像Ｇｂの第２画像ｇｂ２のみに対する移動距離としてメモリ４１ａに記憶される。
【００６５】
また、ＯＫボタン７６をタッチ操作すると、図８（ａ）に示すような倍率入力部６１が表示部５１の画面に再び表示されて、倍率入力部６１の各倍率欄６２〜６５の倍率の入力が可能な状態となり、倍率入力部６１のＯＫボタン６６をタッチ操作すると、各倍率欄６２〜６５の倍率が制御部４１に内蔵のメモリ４１ａに記憶されて更新され、図９（ａ）に示すような位置入力部７１が表示部５１の画面に再び表示されて、位置入力部７１の各位置欄７２〜７５の移動距離の入力が可能な状態となる。従って、ＯＫボタン６６、７６のタッチ操作により倍率入力部６１及び位置入力部７１が切換え表示されて、各倍率欄６２〜６５の倍率及び各位置欄７２〜７５の移動距離を更新することができる。
【００６６】
また、倍率入力部６１のテスト印刷ボタン６７又は位置入力部７１のテスト印刷ボタン７７をタッチ操作すると、これに応答して制御部４１は、各倍率欄６２〜６５の倍率及び各位置欄７２〜７５の移動距離を該制御部４１に内蔵のメモリ４１ａから読み出して画像処理部４４に与え、印刷部４を起動する。画像処理部４４は、画像メモリ４２内の表面画像Ｇａを示す表面画像データＤａ及び裏面画像Ｇｂを示す裏面画像データＤｂに対する画像処理により、各倍率欄６２〜６５の倍率及び各位置欄７２〜７５の移動距離に応じて表面画像Ｇａ全体又は第２画像ｇａ２及び裏面画像Ｇｂ全体又は第２画像ｇｂ２を変倍及び移動させる。印刷部４は、画像処理部４４により画像処理を施された表面画像データＤａ及び裏面画像データＤｂを読み出して、表面画像データＤａに対応する表面画像Ｇａを記録用紙Ｐの表面に印刷形成し、引き続いて裏面画像データＤｂに対応する裏面画像Ｇｂを記録用紙Ｐの裏面に印刷形成する。
【００６７】
詳しくは、全選択モードを選択した状態で、テスト印刷ボタン６７、７７をタッチ操作したならば、表面画像Ｇａの全体が表面Ｘ倍率欄６２の倍率でＸ方向に変倍されると共に表面Ｙ倍率欄６３の倍率でＹ方向に変倍され、表面画像Ｇａの全体が表面Ｘ位置欄７２の移動距離だけＸ方向に移動されると共に表面Ｙ位置欄７３の移動距離だけＹ方向に移動されて、表面画像Ｇａの全体が記録用紙Ｐの表面に印刷形成され、引き続いて裏面画像Ｇｂの全体が裏面Ｘ倍率欄６４の倍率でＸ方向に変倍されると共に裏面Ｙ倍率欄６５の倍率でＹ方向に変倍され、裏面画像Ｇｂの全体が裏面Ｘ位置欄７４の移動距離だけＸ方向に移動されると共に裏面Ｙ位置欄７５の移動距離だけＹ方向に移動されて、裏面画像Ｇｂの全体が記録用紙Ｐの裏面に印刷形成される。
【００６８】
すなわち、全選択モードを選択した状態では、表面画像Ｇａの全体に対して変倍処理及び移動処理が施されて、表面画像Ｇａの全体が記録用紙Ｐの表面に印刷形成され、引き続
いて裏面画像Ｇｂの全体に対して変倍処理及び移動処理が施されて、裏面画像Ｇｂの全体が記録用紙Ｐの裏面に印刷形成される。
【００６９】
また、部分適用モードを選択した状態で、テスト印刷ボタン６７、７７をタッチ操作したならば、表面画像Ｇａの第２画像ｇａ２（非画像領域Ｒａ２）のみが表面Ｘ倍率欄６２の倍率でＸ方向に変倍されると共に表面Ｙ倍率欄６３の倍率でＹ方向に変倍され、表面画像Ｇａの第２画像ｇａ２のみが表面Ｘ位置欄７２の移動距離だけＸ方向に移動されると共に表面Ｙ位置欄７３の移動距離だけＹ方向に移動されて、表面画像Ｇａの第２画像ｇａ２が記録用紙Ｐの表面に印刷形成され、かつ表面画像Ｇａの第１画像ｇａ１が変倍及び移動されることなく記録用紙Ｐの表面に印刷形成され、引き続いて裏面画像Ｇｂの第２画像ｇｂ２（非画像領域Ｒｂ２）のみが裏面Ｘ倍率欄６４の倍率でＸ方向に変倍されると共に裏面Ｙ倍率欄６５の倍率でＹ方向に変倍され、第２画像ｇｂ２のみが裏面Ｘ位置欄７４の移動距離だけＸ方向に移動されると共に裏面Ｙ位置欄７５の移動距離だけＹ方向に移動されて、裏面画像Ｇｂの第２画像ｇｂ２が記録用紙Ｐの裏面に印刷形成され、かつ裏面画像Ｇｂの第１画像ｇｂ１が変倍及び移動させることなく記録用紙Ｐの裏面に印刷形成される。
【００７０】
すなわち、部分適用モードを選択した状態では、表面画像Ｇａの第２画像ｇａ２（非画像領域Ｒａ２）に対して変倍処理及び移動処理が施されて、第２画像ｇａ２が記録用紙Ｐの表面に印刷形成されると共に、表面画像Ｇａの第１画像ｇａ１が変倍及び移動されることなく記録用紙Ｐの表面に印刷形成され、また裏面画像Ｇｂの第２画像ｇｂ２（非画像領域Ｒｂ２）に対して変倍処理及び移動処理が施されて、第２画像ｇｂ２が記録用紙Ｐの裏面に印刷形成されると共に、裏面画像Ｇｂの第１画像ｇｂ１が変倍及び移動されることなく記録用紙Ｐの裏面に印刷形成される。
【００７１】
ここで、図５（ａ）、（ｂ）に示すように記録用紙Ｐの収縮に伴って表面画像Ｇａが収縮して、表面画像Ｇａの第２画像ｇａ２の裁断用マークＭａと裏面画像Ｇｂの第２画像ｇｂ２の裁断用マークＭｂとがずれる場合は、図６（ａ）、（ｂ）に示すように表面画像Ｇａの第２画像ｇａ２（非画像領域Ｒａ２）だけが適宜の倍率で拡大されると、表面画像Ｇａの第２画像ｇａ２（非画像領域Ｒａ２）と裏面画像Ｇｂの第２画像ｇｂ２（非画像領域Ｒｂ２）とが同一サイズとなり、第２画像ｇａ２の裁断用マークＭａと第２画像ｇｂ２の裁断用マークＭｂとが記録用紙Ｐの表裏で概ね互いに重なり合う。従って、部分適用モードを選択した状態で、倍率入力部６１を表示部５１の画面に表示させて、表面Ｘ倍率欄６２の倍率及び表面Ｙ倍率欄６３の倍率を設定すれば、つまり表面画像Ｇａの第２画像ｇａ２のみの倍率を適宜に設定すれば、第２画像ｇａ２の裁断用マークＭａと第２画像ｇｂ２の裁断用マークＭｂとを記録用紙Ｐの表裏で概ね互いに重ね合わせることができる。
【００７２】
ところが、実際には、記録用紙Ｐの収縮に伴って、表面画像Ｇａの第２画像ｇａ２と裏面画像Ｇｂの第２画像ｇｂ２との間に位置ずれ等が生じることがあり、この場合には、位置入力部７１を通じて、表面画像Ｇａの第２画像ｇａ２の位置及び裏面画像Ｇｂの第２画像ｇｂ２の位置を調節することが必要になる。このため、倍率入力部６１においては、表面画像Ｇａの第２画像ｇａ２及び裏面画像Ｇｂの第２画像ｇｂ２のいずれについても移動距離の設定が可能な構成としている。
【００７３】
次に、図１０に示すフローチャートを参照して、第２画像ｇａ２の裁断用マークＭａと第２画像ｇｂ２の裁断用マークＭｂとを記録用紙Ｐの表裏で互いに重ね合わせるための実際的な操作手順を説明する。
【００７４】
まず、図３に示すような表示部５１の初期設定画面において表面画像Ｇａと裏面画像Ｇｂとの位置合わせの機能に対応する機能欄５６ｄをタッチ操作すると、表示部５１の画面上に画像メモリ４２内の画像データの一覧（図示せず）が表示される。この一覧には、図
４（ａ）、（ｂ）に示すような表面画像Ｇａ及び裏面画像Ｇｂに対応する表面画像データＤａ及び裏面画像データＤｂが含まれており、その一覧における表面画像データＤａ及び裏面画像データＤｂをタッチ操作すると、表面画像データＤａ及び裏面画像データＤｂが選択されると共に、図７（ａ）に示すような全選択モードの第１モード欄５７及び部分適用モードの第２モード欄５８が表示部５１の画面に表示される。
【００７５】
このとき、全選択モードの第１モード欄５７をタッチ操作すると（ステップＳ１０１で「Ｎｏ」）、全選択モードが設定されて、後で説明するような各ステップＳ１０８〜Ｓ１１０に移る。
【００７６】
また、部分適用モードの第２モード欄５８をタッチ操作すると（ステップＳ１０１で「Ｙｅｓ」）、部分適用モードが設定されて、表面画像Ｇａにおける第２画像ｇａ２（非画像領域Ｒａ２）が選択されると共に、裏面画像Ｇｂにおける第２画像ｇｂ２（非画像領域Ｒｂ２）が選択される（ステップＳ１０２）。尚、ステップＳ１０２においては、先に述べたように表面画像Ｇａ又は裏面画像Ｇｂの基準位置ＱからのＸ方向の離間距離及びＹ方向の離間距離を指定して、基準位置Ｑからそれらの離間距離だけ離れた任意の指定位置を指示し、基準位置Ｑとその指定位置とを対角頂点とする任意の矩形領域を画像領域として設定し、またその画像領域の外側の所定位置に裁断用マークを設定して、この裁断用マーク及びその背景や余白を含む額縁状の非画像領域を画像領域外に設定するか、あるいは表示部５１の画面上で、表面画像Ｇａ又は裏面画像Ｇｂにおける任意の矩形領域の対角頂点をタッチ操作により指定し、この矩形領域を画像領域として設定し、またその画像領域の外側の所定位置の裁断用マーク等を含む額縁状の非画像領域を画像領域外に設定しても構わない。
【００７７】
また、部分適用モードの設定と同時に倍率入力部６１が表示部５１の画面に表示されるので、倍率入力部６１の各倍率欄６２〜６５の倍率を調節して（ステップＳ１０３）、倍率入力部６１のＯＫボタン６６をタッチ操作する。これにより、各倍率欄６２〜６５の倍率が部分適用モードの倍率として制御部４１のメモリ４１ａに記憶される（ステップＳ１０４）。引き続いて、位置入力部７１が表示部５１の画面に表示されるので、位置入力部７１の各位置欄７２〜７５の移動距離を調節して（ステップＳ１０３）、位置入力部７１のＯＫボタン７６をタッチ操作すると、各位置欄７２〜７５の移動距離が部分適用モードの移動距離として制御部４１のメモリ４１ａに記憶される（ステップＳ１０４）
こうして各倍率欄６２〜６５の倍率及び各位置欄７２〜７５の移動距離が部分適用モードの倍率及び移動距離として記憶される。この後、倍率入力部６１のテスト印刷ボタン６７又は位置入力部７１のテスト印刷ボタン７７をタッチ操作すると、表面画像Ｇａの第２画像ｇａ２（非画像領域Ｒａ２）のみが表面Ｘ倍率欄６２の倍率及び表面Ｙ倍率欄６３の倍率で変倍され、第２画像ｇａ２のみが表面Ｘ位置欄７２の移動距離及び表面Ｙ位置欄７３の移動距離だけ移動されて、第２画像ｇａ２が記録用紙Ｐの表面に印刷形成され、かつ表面画像Ｇａの第１画像ｇａ１（画像領域Ｒａ１）が変倍及び移動されることなく記録用紙Ｐの表面に印刷形成され、引き続いて裏面画像Ｇｂの第２画像ｇｂ２（非画像領域Ｒｂ２）のみが裏面Ｘ倍率欄６４の倍率及び裏面Ｙ倍率欄６５の倍率で変倍され、第２画像ｇｂ２のみが裏面Ｘ位置欄７４の移動距離及び裏面Ｙ位置欄７５の移動距離だけ移動されて、第２画像ｇｂ２が記録用紙Ｐの裏面に印刷形成され、かつ裏面画像Ｇｂの第１画像ｇｂ１（画像領域Ｒｂ１）が変倍及び移動されることなく記録用紙Ｐの裏面に印刷形成される（ステップＳ１０５）。
【００７８】
従って、部分適用モードを選択した状態では、表面画像Ｇａの第２画像ｇａ２だけが変倍及び移動されて記録用紙Ｐの表面に印刷形成されると共に、表面画像Ｇａの第１画像ｇａ１が変倍及び移動されることなく記録用紙Ｐの表面に印刷形成され、また裏面画像Ｇｂの第２画像ｇｂ２だけが変倍及び移動されて記録用紙Ｐの裏面に印刷形成されると共に、
裏面画像Ｇｂの第１画像ｇｂ１が変倍及び移動させることなく記録用紙Ｐの裏面に印刷形成される。
【００７９】
この後、部分適用モードが一旦解除されて、図７（ｂ）に示すような全選択モードの第１モード欄５７及びキャンセルボタン５９が表示部５１の画面に表示される（ステップＳ１０７）。このとき、キャンセルボタン５９をタッチ操作すると（ステップＳ１０７で「Ｎｏ」）、図１０の処理が終了する。
【００８０】
また、全選択モードの第１モード欄５７をタッチ操作すると（ステップＳ１０７で「Ｙｅｓ」）、表面画像Ｇａの全体が選択される。同時に倍率入力部６１が表示部５１の画面に表示されるので、倍率入力部６１の各倍率欄６２〜６５の倍率を調節して（ステップＳ１０８）、倍率入力部６１のＯＫボタン６６をタッチ操作する。これにより、各倍率欄６２〜６５の倍率が全選択モードの倍率として制御部４１のメモリ４１ａに記憶される（ステップＳ１０９）。引き続いて、位置入力部７１が表示部５１の画面に表示されるので、位置入力部７１の各位置欄７２〜７５の移動距離を調節して（ステップＳ１０８）、位置入力部７１のＯＫボタン７６をタッチ操作すると、各位置欄７２〜７５の移動距離が全選択モードの移動距離として制御部４１のメモリ４１ａに記憶される（ステップＳ１０９）
こうして各倍率欄６２〜６５の倍率及び各位置欄７２〜７５の移動距離が全選択モードの倍率及び移動距離として記憶される。この後、倍率入力部６１のテスト印刷ボタン６７又は位置入力部７１のテスト印刷ボタン７７をタッチ操作すると、表面画像Ｇａの全体が表面Ｘ倍率欄６２の倍率及び表面Ｙ倍率欄６３の倍率で変倍され、表面画像Ｇａの全体が表面Ｘ位置欄７２の移動距離及び表面Ｙ位置欄７３の移動距離だけ移動されて、表面画像Ｇａの全体が記録用紙Ｐの表面に印刷形成され、引き続いて裏面画像Ｇｂの全体が裏面Ｘ倍率欄６４の倍率及び裏面Ｙ倍率欄６５の倍率で変倍され、裏面画像Ｇｂの全体が裏面Ｘ位置欄７４の移動距離及び裏面Ｙ位置欄７５の移動距離だけ移動されて、裏面画像Ｇｂの全体が記録用紙Ｐの裏面に印刷形成される（ステップＳ１１０）。
【００８１】
従って、全選択モードを選択した状態では、表面画像Ｇａの全体が変倍及び移動されて記録用紙Ｐの表面に印刷形成され、また裏面画像Ｇｂの全体が変倍及び移動されて記録用紙Ｐの裏面に印刷形成される。
【００８２】
このように第１実施形態では、部分適用モードを選択すると、表面画像Ｇａの第２画像ｇａ２だけを変倍及び移動させて、表面画像Ｇａを記録用紙Ｐの表面に印刷形成したり、あるいは裏面画像Ｇｂの第２画像ｇｂ２だけを変倍及び移動させて、裏面画像Ｇｂを記録用紙Ｐの裏面に印刷形成したりすることができる。従って、記録用紙Ｐの表面側の第２画像ｇａ２のサイズ及び位置と記録用紙Ｐの裏面側の第２画像ｇｂ２のサイズ及び位置とを自在に設定することができる。
【００８３】
このため、図６（ａ）に示すように表面画像Ｇａの第２画像ｇａ２だけを適宜の倍率で拡大して、図６（ｂ）に示すように表面画像Ｇａの第２画像ｇａ２の裁断用マークＭａと裏面画像Ｇｂの第２画像ｇｂ２の裁断用マークＭｂとを概ね重ね合わせることができる。
【００８４】
また、記録用紙Ｐの収縮に伴って、表面画像Ｇａの第２画像ｇａ２と裏面画像Ｇｂの第２画像ｇｂ２との間に位置ずれ等が生じた場合には、表面画像Ｇａの第２画像ｇａ２と裏面画像Ｇｂの第２画像ｇｂ２との位置関係を微調整することができる。例えば、定着装置１７の加熱により記録用紙Ｐが収縮したときには、その位置関係がずれることがあるので、その位置関係の微調整が有効である。
【００８５】
更に、表面画像Ｇａの第２画像ｇａ２だけを変倍するのではなく、裏面画像Ｇｂの第２画像ｇｂ２をも変倍してもよい。
【００８６】
また、全選択モードを選択すると、表面画像Ｇａの全体が変倍及び移動されて、表面画像Ｇａが記録用紙Ｐの表面に印刷形成され、また裏面画像Ｇｂの全体が変倍及び移動されて、裏面画像Ｇｂが記録用紙Ｐの裏面に印刷形成される。この全選択モードで形成された表面画像Ｇａと裏面画像Ｇｂとのずれの状態を、部分適用モードで形成された表面画像Ｇａと裏面画像Ｇｂとのずれの状態と比較することにより、部分適用モードでの表面画像Ｇａの第２画像ｇａ２の倍率及び移動距離、裏面画像Ｇｂの第２画像ｇｂ２の倍率及び移動距離が適確に調節されているか否かを容易に判断することができる。
【００８７】
更に、表面画像Ｇａの第２画像ｇａ２の裁断用マークＭａと裏面画像Ｇｂの第２画像ｇｂ２の裁断用マークＭｂとを重ね合わせることができたときに、表面画像Ｇａに係わる倍率及び移動位置と裏面画像Ｇｂに係わる倍率及び移動位置とを、表面画像Ｇａ及び裏面画像Ｇｂの付随情報として画像メモリ４２に記憶しておく。そして、表面画像Ｇａ及び裏面画像Ｇｂを記録用紙Ｐに印刷するときには、表面画像Ｇａを該表面画像Ｇａに係わる倍率及び移動位置で記録用紙Ｐの表面に印刷すると共に、裏面画像Ｇｂを該裏面画像Ｇｂに係る倍率及び移動位置で記録用紙Ｐの裏面に印刷する。これにより、記録用紙Ｐの表面の裁断用マークＭａと記録用紙Ｐの裏面の裁断用マークＭｂとが互いに重なり合った状態を再現することができる。
【００８８】
尚、第１実施形態では、定着装置１７の加熱により記録用紙Ｐが収縮することを想定しているが、記録用紙Ｐの材質や種類によっては、その表面の印刷のときに記録用紙Ｐが伸長する。この場合は、裏面画像Ｇｂの第２画像ｇｂ２を記録用紙Ｐの裏面に適宜の倍率で拡大して印刷形成すると、記録用紙Ｐの表面の裁断用マークＭａと記録用紙Ｐの裏面の裁断用マークＭｂとが互いに重なり合う。
【００８９】
また、本発明は、表面画像Ｇａの第２画像ｇａ２又は裏面画像Ｇｂの第２画像ｇｂ２の拡大だけではなく縮小をも包含する。例えば、表面画像Ｇａにおいて、第１画像ｇａ１の四辺に余白があって、第２画像ｇａ２が縮小されても第１画像ｇａ１のテキスト、写真、図面等に実質的に干渉しなかったり、裏面画像Ｇｂにおいて、第１画像ｇｂ１の四辺に余白があって、第２画像ｇｂ２が縮小されても第１画像ｇｂ１のテキスト、写真、図面等に実質的に干渉しなかったりするときには、第２画像ｇａ２及び第２画像ｇｂ２のいずれか一方の縮小により、第２画像ｇａ２と第２画像ｇｂ２とを重ね合わせても構わない。あるいは、表面画像Ｇａにおいて、第２画像ｇａ２が縮小されて第１画像ｇａ１のテキスト、写真、図面、及び背景等に実質的に干渉しても差し支えなかったり、裏面画像Ｇｂにおいて、第２画像ｇｂ２が縮小されて第１画像ｇｂ１のテキスト、写真、図面、及び背景等に実質的に干渉しても差し支えなかったりするときには、第２画像ｇａ２及び第２画像ｇｂ２のいずれか一方の縮小により、第２画像ｇａ２と第２画像ｇｂ２とを重ね合わせてもよい。従って、本発明では、第２画像ｇａ２（非画像領域Ｒａ２）が縮小されて第１画像ｇａ１（画像領域Ｒａ１）の一部に重なったり、第２画像ｇｂ２（非画像領域Ｒｂ２）が縮小されて第１画像ｇｂ１（画像領域Ｒｂ１）の一部に重なったるりすることがあり得る。［第２実施形態］
本発明の第２実施形態は、図１の画像形成装置１に適用されて、図２に示すような制御系を有する点で上記第１実施形態と同様であるが、記録用紙Ｐの表裏に形成される画像が上記第１実施形態とは異なる。
【００９０】
上記第１実施形態では、表面画像Ｇａが主要な第１画像（テキスト、写真、図面等）ｇａ１と裁断用マークＭａを含む第２画像ｇａ２とからなり、同様に裏面画像Ｇｂが主要な第１画像（テキスト、写真、図面等）ｇｂ１と裁断用マークＭｂを含む第２画像ｇｂ２とからなる。従って、表面画像Ｇａ及び裏面画像Ｇｂは、記録用紙Ｐの表裏に実際に印刷形成される画像である。
【００９１】
これに対して第２実施形態では、図１１に示すような調整パターンＪを記録用紙Ｐの表裏に共に印刷形成する。この調整パターンＪは、Ｘ方向（横方向）、Ｙ方向（縦方向）、及び斜め方向に延びる複数の線分ｊａ、ｊｂ、ｊｃを組み合わせ、文字ｊｄや三角指標ｊｅを各所に配置してなる。また、調整パターンＪは、画像領域Ｒ１と該画像領域Ｒ１の外側の非画像領域Ｒ２とに区分されており、画像領域Ｒ１に含まれる画像が第１画像ｊ１となり、非画像領域Ｒ２に含まれる画像が第２画像ｊ２となる。
【００９２】
また、第１画像ｊ１には、該第１画像ｊ１の中心となる基準位置Ｑが含まれている。この基準位置Ｑからの左右（Ｘ方向）のそれぞれの離間距離及び上下（Ｙ方向）のそれぞれの離間距離を指定して、左右の各離間距離に対応する横幅及び上下の各離間距離に対応する縦幅を有する画像領域Ｒ１を設定し、この画像領域Ｒ１の外側を非画像領域Ｒ２として設定している。例えば、操作パネル７の入力操作部５２の操作により左右の各離間距離（横幅）及び上下の各離間距離（縦幅）を入力して、画像領域Ｒ１及び非画像領域Ｒ２を設定することができる。あるいは、表示部５１の画面に調整パターンＪを表示した上で、矩形領域の対角頂点をタッチ操作により指定し、この矩形領域を画像領域Ｒ１として設定し、この画像領域Ｒ１の外側を非画像領域Ｒ２として設定しても構わない。
【００９３】
次に、図１０に示すフローチャートを参照して、記録用紙Ｐの表裏に印刷形成される各調整パターンＪの第２画像ｊ２を重ね合わせるための手順を説明する。
【００９４】
まず、図７（ａ）に示すような全選択モードの第１モード欄５７及び部分適用モードの第２モード欄５８が表示部５１の画面に表示される。
【００９５】
このとき、全選択モードの第１モード欄５７をタッチ操作すると（ステップＳ１０１で「Ｎｏ」）、全選択モードが設定されて、後で説明するような各ステップＳ１０８〜Ｓ１１０に移る。
【００９６】
また、部分適用モードの第２モード欄５８をタッチ操作すると（ステップＳ１０１で「Ｙｅｓ」）、部分適用モードが設定されて、調整パターンＪにおける第２画像ｊ２（非画像領域Ｒ２）が選択される（ステップＳ１０２）。このとき、先に延べたように基準位置Ｑからの左右（Ｘ方向）のそれぞれの離間距離及び上下（Ｙ方向）のそれぞれの離間距離を指定すると、画像領域Ｒ１が設定されて、この画像領域Ｒ１の外側が非画像領域Ｒ２として選択される。あるいは、表示部５１の画面に調整パターンＪを表示した上で、矩形領域の対角頂点をタッチ操作により指定すると、この矩形領域が画像領域Ｒ１として設定されて、この画像領域Ｒ１の外側が非画像領域Ｒ２として選択される。
【００９７】
また、部分適用モードの設定と同時に倍率入力部６１が表示部５１の画面に表示されるので、倍率入力部６１の各倍率欄６２〜６５の倍率を調節して（ステップＳ１０３）、倍率入力部６１のＯＫボタン６６をタッチ操作する。これにより、各倍率欄６２〜６５の倍率が部分適用モードの倍率として制御部４１のメモリ４１ａに記憶される（ステップＳ１０４）。引き続いて、位置入力部７１が表示部５１の画面に表示されるので、位置入力部７１の各位置欄７２〜７５の移動距離を調節して（ステップＳ１０３）、位置入力部７１のＯＫボタン７６をタッチ操作すると、各位置欄７２〜７５の移動距離が部分適用モードの移動距離として制御部４１のメモリ４１ａに記憶される（ステップＳ１０４）
こうして各倍率欄６２〜６５の倍率及び各位置欄７２〜７５の移動距離が部分適用モードの倍率及び移動距離として記憶される。この後、倍率入力部６１のテスト印刷ボタン６７又は位置入力部７１のテスト印刷ボタン７７をタッチ操作すると、記録用紙Ｐの表面については、調整パターンＪの第２画像ｊ２（非画像領域Ｒ２）のみが表面Ｘ倍率欄６２の倍率及び表面Ｙ倍率欄６３の倍率で変倍され、第２画像ｊ２のみが表面Ｘ位置欄７２の移
動距離及び表面Ｙ位置欄７３の移動距離だけ移動されて、第２画像ｊ２が印刷形成され、かつ調整パターンＪの第１画像ｊ１が変倍及び移動されることなく印刷形成される。引き続いて、記録用紙Ｐの裏面については、調整パターンＪの第２画像ｊ２（非画像領域Ｒ２）のみが裏面Ｘ倍率欄６４の倍率及び裏面Ｙ倍率欄６５の倍率で変倍され、第２画像ｊ２のみが裏面Ｘ位置欄７４の移動距離及び裏面Ｙ位置欄７５の移動距離だけ移動されて、第２画像ｊ２が印刷形成され、かつ調整パターンＪの第１画像ｊ１が変倍及び移動されることなく印刷形成される（ステップＳ１０５）。このとき、第２画像ｊ２は、基準位置Ａを中心にして変倍され、基準位置Ａから離間するように拡大されるか、又は基準位置Ａに接近するように縮小される。また、第２画像ｊ２は、基準位置Ａを中心にしてＸ方向又はＹ方向に移動される。
【００９８】
従って、部分適用モードが選択された状態では、記録用紙Ｐの表面と裏面とで別々に、調整パターンＪの第２画像ｊ２（非画像領域Ｒ２）の倍率及び移動距離を設定することができる。また、記録用紙Ｐの表面及び裏面のいずれについても、調整パターンＪの第２画像ｊ２（非画像領域Ｒ２）だけが変倍及び移動されて印刷形成されると共に、調整パターンＪの第１画像ｊ１が変倍及び移動されることなく印刷形成される。
【００９９】
この後、部分適用モードが一旦解除されて、図７（ｂ）に示すような全選択モードの第１モード欄５７及びキャンセルボタン５９が表示部５１の画面に表示される（ステップＳ１０７）。このとき、キャンセルボタン５９をタッチ操作すると（ステップＳ１０７で「Ｎｏ」）、図１０の処理が終了する。
【０１００】
また、全選択モードの第１モード欄５７をタッチ操作すると（ステップＳ１０７で「Ｙｅｓ」）、調整パターンＪの全体が選択される。同時に倍率入力部６１が表示部５１の画面に表示されるので、倍率入力部６１の各倍率欄６２〜６５の倍率を調節して（ステップＳ１０８）、倍率入力部６１のＯＫボタン６６をタッチ操作する。これにより、各倍率欄６２〜６５の倍率が全選択モードの倍率として制御部４１のメモリ４１ａに記憶される（ステップＳ１０９）。引き続いて、位置入力部７１が表示部５１の画面に表示されるので、位置入力部７１の各位置欄７２〜７５の移動距離を調節して（ステップＳ１０８）、位置入力部７１のＯＫボタン７６をタッチ操作すると、各位置欄７２〜７５の移動距離が全選択モードの移動距離として制御部４１のメモリ４１ａに記憶される（ステップＳ１０９）。
【０１０１】
こうして各倍率欄６２〜６５の倍率及び各位置欄７２〜７５の移動距離が全選択モードの倍率及び移動距離として記憶される。この後、倍率入力部６１のテスト印刷ボタン６７又は位置入力部７１のテスト印刷ボタン７７をタッチ操作すると、記録用紙Ｐの表面については、調整パターンＪの全体が表面Ｘ倍率欄６２の倍率及び表面Ｙ倍率欄６３の倍率で変倍され、調整パターンＪの全体が表面Ｘ位置欄７２の移動距離及び表面Ｙ位置欄７３の移動距離だけ移動されて、調整パターンＪの全体が印刷形成される。引き続いて、記録用紙Ｐの裏面については、調整パターンＪの全体が裏面Ｘ倍率欄６４の倍率及び裏面Ｙ倍率欄６５の倍率で変倍され、調整パターンＪの全体が裏面Ｘ位置欄７４の移動距離及び裏面Ｙ位置欄７５の移動距離だけ移動されて、調整パターンＪの全体が印刷形成される（ステップＳ１１０）。このとき、調整パターンＪの全体は、基準位置Ａを中心にして変倍され、基準位置Ａを中心にしてＸ方向又はＹ方向に移動されて印刷形成される。
【０１０２】
従って、全選択モードが選択された状態では、記録用紙Ｐの表面と裏面とで別々に、調整パターンＪの全体の倍率及び移動距離を設定することができる。また、記録用紙Ｐの表面及び裏面のいずれについても、調整パターンＪの全体が変倍及び移動されて印刷形成される。
【０１０３】
このような第２実施形態では、調整パターンＪが各線分ｊａ、ｊｂ、ｊｃ、文字ｊｄ、
三角指標ｊｅからなるため、記録用紙Ｐの表面と裏面との間での第２画像ｊ２のずれ量やずれ方向を容易に認識することができ、第２画像ｊ２の倍率及び移動位置が適確に調節されているか否かを容易に判断することができる。
【０１０４】
また、例えば、調整パターンＪの第１画像ｊ２（画像領域Ｒ１）及び第２画像ｊ２（非画像領域Ｒ２）を、図４（ａ）に示す表面画像Ｇａの第１画像ｇａ１（画像領域Ｒａ１）及び第２画像ｇａ２（非画像領域Ｒａ２）と一致させるか、又は図４（ｂ）に示す裏面画像Ｇｂの第１画像ｇｂ１（画像領域Ｒｂ１）及び第２画像ｇｂ２（非画像領域Ｒｂ２）と一致させた上で、記録用紙Ｐの表面と裏面との間で第２画像ｊ２が一致するように部分適用モードにおける各倍率欄６２〜６５の倍率及び各位置欄７２〜７５の移動距離を設定してメモリ４１ａに記憶しておく。この場合は、表面画像Ｇａ及び裏面画像Ｇｂを記録用紙Ｐの表裏に印刷するときに、各倍率欄６２〜６５の倍率及び各位置欄７２〜７５の移動距離に基づき表面画像Ｇａの第２画像ｇａ２及び裏面画像Ｇｂの第２画像ｇｂ２を変倍して移動させると、表面画像Ｇａの第２画像ｇａ２の裁断用マークＭａと裏面画像Ｇｂの第２画像ｇｂ２の裁断用マークＭｂとを重ね合わせることができる。
［第３実施形態］
本発明の第３実施形態の画像形成システムにおいては、パーソナルコンピュータ（ＰＣ）８で印刷ジョブを生成し、この印刷ジョブをネットワークを通じて図１の画像形成装置１に送信し、画像形成装置１で印刷ジョブの画像データによって示される画像を記録用紙に印刷している。
【０１０５】
図１２は、第３実施形態の画像形成システムＳｙを示すブロック図である。図１２において、ＰＣ８は、プリンタドライバ８１、ＰＣ制御部８２、ＰＣ表示部８３、ＰＣ入力操作部（キーボードやマウス）８４等を備えており、プリンタドライバ８１により印刷ジョブを生成して、印刷ジョブをプリンタドライバ８１からネットワークＮを通じて画像形成装置１へと送信する。画像形成装置１では、ＰＣ８からの印刷ジョブを入出力部４３で受信して画像メモリ４２に記憶し、制御部４１又は画像処理部４４により画像メモリ４２内の印刷ジョブを解析して、印刷ジョブの画像データによって示される画像を印刷部４で記録用紙に印刷形成する。
【０１０６】
ここで、ＰＣ８においては、プリンタドライバ８１による制御、ＰＣ表示部８３の画面の表示、ＰＣ入力操作部８４の入力操作により、第１実施形態と略同様の手順で、部分適用モードを選択して、例えば表面画像Ｇａの第２画像ｇａ２だけを変倍及び移動させたり、裏面画像Ｇｂの第２画像ｇｂ２だけを変倍及び移動させたりして、これにより生成された表面画像Ｇａ及び裏面画像Ｇｂをプリンタドライバ８１から印刷ジョブとしてネットワークＮを通じて画像形成装置１へと送信することができる。
【０１０７】
また、ＰＣ８においては、第１実施形態と略同様の手順で、全選択モードを選択して、例えば表面画像Ｇａの全体を変倍及び移動させたり、裏面画像Ｇｂの全体を変倍及び移動させたりして、これにより生成された表面画像Ｇａ及び裏面画像Ｇｂをプリンタドライバ８１から印刷ジョブとしてネットワークＮを通じて画像形成装置１へと送信することができる。
【０１０８】
画像形成装置１では、ＰＣ８からの印刷ジョブを入出力部４３で受信して画像メモリ４２に記憶し、制御部４１又は画像処理部４４により印刷ジョブを解析して、部分適用モードで生成された表面画像Ｇａ及び裏面画像Ｇｂを印刷部４で記録用紙の表裏に印刷形成したり、又は全選択モードで生成された表面画像Ｇａ及び裏面画像Ｇｂを印刷部４で記録用紙の表裏に印刷形成したりする。
【０１０９】
あるいは、ＰＣ８においては、第２実施形態と同様の手順で、部分適用モードを選択し
て、記録用紙Ｐの表面及び裏面のいずれについても、調整パターンＪの第２画像ｊ２だけを変倍及び移動させて、これにより生成された表面側の調整パターンＪ及び裏面側の調整パターンＪをプリンタドライバ８１から印刷ジョブとしてネットワークＮを通じて画像形成装置１へと送信することができる。
【０１１０】
また、ＰＣ８においては、第２実施形態と略同様の手順で、全選択モードを選択して、記録用紙Ｐの表面及び裏面のいずれについても、調整パターンＪの全体を変倍及び移動させて、これにより生成された表面側の調整パターンＪ及び裏面側の調整パターンＪをプリンタドライバ８１から印刷ジョブとしてネットワークＮを通じて画像形成装置１へと送信することができる。
【０１１１】
画像形成装置１では、ＰＣ８からの印刷ジョブを受信すると、印刷ジョブを解析して、部分適用モードで生成された表面側の調整パターンＪ及び裏面側の調整パターンＪを印刷部４で記録用紙の表裏に印刷形成したり、又は全選択モードで生成された表面側の調整パターンＪ及び裏面側の調整パターンＪを印刷部４で記録用紙の表裏に印刷形成したりする。
【０１１２】
このように第３実施形態では、ＰＣ８側で、部分モード及び全選択モードのいずれかが選択されて、記録用紙Ｐの表面及び裏面のいずれについても、画像の倍率及び位置が設定され、これにより生成された表面側の画像及び裏面側の画像が印刷ジョブとしてＰＣ８から画像形成装置１へと送受され、画像形成装置１側で、表面側の画像及び裏面側の画像が記録用紙Ｐの表裏に印刷形成される。このため、第３実施形態においても、第１及び第２実施形態と同様の作用効果を達成することができる。
【０１１３】
以上、添付図面を参照しながら本発明の好適な実施形態及び変形例について説明したが、本発明は係る例に限定されないことは言うまでもない。当業者であれば、とは異なる範囲に記載された範疇内において、各種の変更例または修正例に想到し得ることは明らかであり、それらについても当然に本発明の技術的範囲に属するものと解される。
【符号の説明】
【０１１４】
１  画像形成装置
２  画像読取り装置
３  原稿搬送装置
４  印刷部（画像形成部）
５  給紙カセット
７  操作パネル
８  パーソナルコンピュータ（ＰＣ）
４１  制御部（倍率設定部、位置設定部）
４２  画像メモリ
４３  入出力部
４４  画像処理部（画像形成部）
５１  表示部
５２  入力操作部
６１  倍率入力部
７１  位置入力部
８１  プリンタドライバ
８２  ＰＣ制御部
８３  ＰＣ表示部
８４  ＰＣ入力操作部
Ｎ  ネットワーク
Ｓｙ  画像形成システム
【図１】
0005868445.tif 000002
【図２】
0005868445.tif 000003
【図３】
0005868445.tif 000004
【図４】
0005868445.tif 000005
【図５】
0005868445.tif 000006
【図６】
0005868445.tif 000007
【図７】
0005868445.tif 000008
【図８】
0005868445.tif 000009
【図９】
0005868445.tif 000010
【図１０】
0005868445.tif 000011
【図１１】
0005868445.tif 000012
【図１２】
0005868445.tif 000013